(57)【特許請求の範囲】
【請求項１】
シャーシに回動可能に配設されており、回動に伴いキャプスタン軸と当接して該キャプスタン軸のクリーニングを行うクリーナーアームと、
前記シャーシに回動可能に配設されると共に、前記クリーナーアームと係合するカム部が設けられており、回動に伴う前記カム部の変位により前記クリーナーアームを回動させるカム部材と、
シャーシ上を移動することによりテープカセットが装着されたカセットホルダを所定装着位置に装着脱させると共に、移動に伴い前記カム部材と係合して該カム部材を回動させる駆動ピンを有してなるスライダーカムと
を具備する磁気記録再生装置において、
前記スライダーカムの前記駆動ピンの配設位置よりも前記カム部材に近い位置に係合部を形成し、
前記カム部材が適正位置からずれた位置にあるとき、前記スライダーカムの移動に伴い前記係合部が前記カム部材に係合し、該カム部材を前記適正位置に回動させる構成としたことを特徴とする磁気記録再生装置。
【請求項２】
請求項１記載の磁気記録再生装置において、
前記係合部は、前記スライダーカムに一体的に形成された折曲片であることを特徴とする磁気記録再生装置。
【請求項３】
請求項１または２記載の磁気記録再生装置において、
前記カム部材に係合部通過部を形成し、前記カム部材が前記適正位置に位置した状態において、前記係合部通過部が前記係合部の移動軌跡上に位置するよう構成したことを特徴とする磁気記録再生装置。
【発明の詳細な説明】
【０００１】
【発明の属する技術分野】
本発明は磁気記録再生装置に係り、特にキャプスタン軸と当接して該キャプスタン軸のクリーニングを行うクリーニング機構を有する磁気記録再生装置に関する。
【０００２】
【従来の技術】
一般にデジタルオーディオテープレコーダー（ＤＡＴ）等の磁気記録再生装置には、挿入されたテープカセットを装置内の所定記録再生位置に装着させると共に、記録再生処理が終了した後はテープカセットを装置内から排出させるカセット装着脱機構が設けられている。
【０００３】
このカセット装着脱機構は、大略するとテープカセットが装着されるカセットホルダと、このカセットホルダを水平及び垂直方向に移動付勢することによりテープカセットを装置内の所定記録再生位置に装着脱させるスライダーカムと、このスライダーカムを駆動させる駆動アーム等により構成されている。
カセットホルダの側部に配設されたシャフトは、磁気記録再生装置のシャーシ側壁に形成されＬ字溝と係合しており、よってこのＬ字溝に沿ってカセットホルダは水平及び垂直方向に移動可能な構成となっている。
【０００４】
また、スライダーカムは磁気記録再生装置のシャーシ側壁に形成され直線状溝と係合しており、よってこの直線状溝に沿ってスライダーカムは水平方向に移動可能な構成となっている。また、スライダーカムの側壁には、傾斜溝（カム）が形成されている。
この傾斜溝は、カセットホルダの側部に配設されたシャフトと係合するよう構成されている。従って、スライダーカムがシャーシ上を移動することにより、カセットホルダは前記のＬ字溝及び傾斜溝に移動方向を規制されつつ移動する。これにより、カセットホルダに保持されたテープカセットは、装置内の所定装着位置（磁気記録再生処理が行われる位置）と、イジェクト位置（カセットホルダにテープカセットを挿入脱する位置）との間で搬送される。
【０００５】
駆動アームは、モードモータにより回動する構成とされており、この駆動アームの先端部にはスライダーカムと係合する係合部が形成されている。よって、駆動アームが回動することによりスライダーカムは駆動され、これによりスライダーカムはシャーシ上を移動する構成とされている。
一方、テープカセットから引き出された磁気テープは、ピンチローラーによりキャプスタンモータの回転軸（以下、キャプスタンシャフトという）に押圧され、これによりキャプスタンモータの回転速度で定速走行する構成とされている。
【０００６】
このキャプスタンシャフトは、汚れが付着すると磁気テープの安定した定速走行が行えなくなる。このため、磁気記録再生装置内にはキャプスタンシャフトに付着した汚れを除去するクリーニング機構が設けられている。
図１２は、従来の磁気記録再生装置に設けられたクリーニング機構の一例を示している。同図に示すように、クリーニング機構１８５は、大略するとクリーニングアーム１８６とクリーニング用カム部材１８６とにより構成されている。
【０００７】
クリーニングアーム１８６は、キャプスタンモータに設けられた支軸１８３に回動可能に取り付けられており、よって図中矢印Ｅ１，Ｅ２方向に回動可能な構成とされている。このクリーニングアーム１８６の図中矢印Ｘ２方向端部には、ブレード状のクリーニング部１９０が形成されている。このクリーニング部１９０がキャプスタン軸１１１（一点鎖線で示す）に当接することにより、キャプスタン軸１１１に付着した汚れを除去することができる。
【０００８】
また、クリーニングアーム１８６の図中矢印Ｘ１方向端部にはバネ掛止孔１９１が設けられており、このバネ掛止孔１９１には一端部がシャーシに接続されたコイルスプリングの他端部が接続される。このコイルスプリングの弾性力により、クリーニングアーム１８６は常時図中矢印Ｅ１方向に回動付勢されている。
一方、クリーニング用カム部材１８６は略円柱状の形状を有し、シャーシに設けられた支軸１８４に回動可能に取り付けられており、よって図中矢印Ｆ１，Ｆ２方向に回動可能な構成とされている。このクリーニング用カム部材１８６は、スライダーカム（図示せず）に配設された駆動ピン１８１（一点鎖線で示す）と当接する一対のピン係合壁部１９３Ａ，１９３Ｂを有している。また、クリーニング用カム部材１８６には鍔部１９５が形成されており、前記したクリーニングアーム１８６はこの鍔部１９５の下部において、クリーニング用カム部材１８６に形成されたカム部１９４と係合するよう構成されている。
【０００９】
続いて、クリーニング機構１８５の動作について説明する。
図１２は、磁気ディスク装置のイジェクト状態（テープカセットがカセットホルダに対し装着脱される位置にある状態）を示している。このイジェクト状態では磁気記録再生処理が行われないため、キャプスタン軸１１１に磁気テープは当接していない。よって、このイジェクト時を利用してクリーニング機構１８５によりキャプスタン軸１１１のクリーニングを行う構成としている。
【００１０】
イジェクト時には、駆動ピン１８１は図中矢印Ｘ２方向限まで移動しており、この状態においてクリーニングアーム１８６は、クリーニング用カム部材１８７のカム部１９４の内、窪んだ部位１９４Ａ（回転中心に対して小径である部位）と係合している。このため、前記したコイルスプリングの弾性力により図中矢印Ｅ１方向に変位し、よってクリーニング部１９０はキャプスタン軸１１１と当接するため、キャプスタン軸１１１に対するクリーニング処理が行われる。
【００１１】
一方、カセットローディングが開始されると、スライダーカムは矢印Ｘ１方向に移動を開始し、これに伴い駆動ピン１８１も図中矢印Ｘ１方向に移動する。イジェクト状態において、クリーニング用カム部材１８７に形成されているピン係合壁部１９３Ａは駆動ピン１８１の移動軌跡上に位置するようになっている。よって、駆動ピン１８１は移動に伴いピン係合壁部１９３Ａと係合しこれを押圧し、これによりクリーニング用カム部材１８７は図中矢印Ｆ１方向に回動付勢される。
【００１２】
そして、クリーニング用カム部材１８７がＦ１方向に回動すると、カム部９４の内、突出した部位１９４Ｂ（回転中心に対して大径である部位）がクリーニングアーム１８６と係合することとなり、よってクリーニングアーム１８６はコイルスプリングの弾性力に抗して図中矢印Ｅ２方向に回動付勢される。これにより、クリーニング部１９０はキャプスタン軸１１１から離間し、キャプスタン軸１１１に対するクリーニング処理が終了する。
【００１３】
尚、磁気テープに対する磁気記録再生処理時においては、クリーニング部１９０はキャプスタン軸１１１から離間しているため、クリーニングアーム１８６が磁気テープの走行の邪魔になるようなことはない。
【００１４】
【発明が解決しようとする課題】
ところで、上記のようにクリーニング機構１８５を構成するクリーニング用カム部材１８７は、シャーシに設けられた支軸１８４に配設される。この配設の際、クリーニング用カム部材１８７に形成されたピン係合壁部１９３Ａ，１９３Ｂが駆動ピン１８１の移動軌跡上に位置するよう位置決めして支軸１８４に配設する必要がある。
【００１５】
しかるに、クリーニング用カム部材１８７は略円筒状の部材であり、またその形状も小さいため、誤って適正位置（図１２に示す状態が適正位置）からずれた位置でクリーニング用カム部材１８７を配設してしまうことが発生する。
従来では、このようにクリーニング用カム部材１８７を支軸１８４に誤装着した場合、これを適正位置に戻す機構が設けられていなかった。このため、従来の磁気記録再生装置では、クリーニング機構１８５が適正に機能しなかったり、またこれに起因してカセットローディング動作が正常に行われなくなるという問題点があった。
【００１６】
例えば、図１３に示すように、クリーニング用カム部材１８７を適正位置（図１２に示す位置）よりも矢印Ｆ１方向に回転した位置で取り付けた場合には、駆動ピン１８１が矢印Ｘ１方向に移動すると、この駆動ピン１８１は適正位置で配設したならば当接するはずのピン係合壁部１９３Ａとは当接せず、ピン係合壁部１９３Ｂの背面側に当接することとなる。
【００１７】
よって、駆動ピン１８１が矢印Ｘ１方向に移動した後、再びイジェクト動作が行われ駆動ピン１８１が矢印Ｘ２方向に移動した場合、駆動ピン１８１は直ちにピン係合壁部１９３Ｂの背面側から離間し、クリーニング用カム部材１８７は矢印Ｆ１方向に回動した状態を維持する。即ち、クリーニングアーム１８６は、キャプスタン軸１１１から離間した位置でロックされた状態となり、キャプスタン軸１１１に対するクリーニング処理は以後できなくなってしまう。
【００１８】
本発明は上記の点に鑑みてなされたものであり、カム部材（クリーニング用カム部材）が適正に配設されなかった場合であっても自動的にカム部材を適正位置に補正しうる磁気記録再生装置を提供することを目的とする。
【００１９】
【課題を解決するための手段】
上記課題を解決するために本発明では、次に述べる各手段を講じたことを特徴とするものである。
請求項１記載の発明は、
シャーシに回動可能に配設されており、回動に伴いキャプスタン軸と当接して該キャプスタン軸のクリーニングを行うクリーナーアームと、
前記シャーシに回動可能に配設されると共に、前記クリーナーアームと係合するカム部が設けられており、回動に伴う前記カム部の変位により前記クリーナーアームを回動させるカム部材と、
シャーシ上を移動することによりテープカセットが装着されたカセットホルダを所定装着位置に装着脱させると共に、移動に伴い前記カム部材と係合して該カム部材を回動させる駆動ピンを有してなるスライダーカムと
を具備する磁気記録再生装置において、
前記スライダーカムの前記駆動ピンの配設位置よりも前記カム部材に近い位置に係合部を形成し、
前記カム部材が適正位置からずれた位置にあるとき、前記スライダーカムの移動に伴い前記係合部が前記カム部材に係合し、該カム部材を前記適正位置に回動させる構成としたことを特徴とするものである。
【００２０】
上記請求項１記載の発明によれば、カム部材が適正位置からずれた位置で配設されても、スライダーカムの移動に伴い、駆動ピンの配設位置よりもカム部材に近い位置に配設された係合部がカム部材に先に係合し、カム部材を適正位置に回動させる。これにより、駆動ピンがカム部材に係合する際には、常にカム部材は適正な位置となっており、よってスライダーカムの移動が不能となったり、またキャプスタン軸のクリーニングが不能となることを防止することができる。
【００２１】
また、請求項２記載の発明は、
請求項１記載の磁気記録再生装置において、
前記係合部は、前記スライダーカムに一体的に形成された折曲片であることを特徴とするものである。
上記請求項２記載の発明によれば、係合部をスライダーカムに一体的に形成された切り起こし部により構成することにより、係合部を容易にかつ低コストに形成することができる。
【００２２】
また、請求項３記載の発明は、
請求項１または２記載の磁気記録再生装置において、
前記カム部材に係合部通過部を形成し、前記カム部材が前記適正位置に位置した状態において、前記係合部通過部が前記係合部の移動軌跡上に位置するよう構成したことを特徴とするものである。
【００２３】
上記請求項３記載の発明によれば、係合部はカム部材が不適正に装着された場合にのみカム部材と係合し、適正に装着された場合には係合部通過部を通過することによりカム部材と係合しない構成となる。よって、スライダーカムに係合部を設けても、係合部によりカム部材のクリーニング時における動作が妨げられるようなことはない。
【００２４】
【発明の実施の形態】
次に、本発明の実施の形態について図面と共に説明する。
図１及び図２は、本発明の一実施例である磁気記録再生装置１（以下、単に装置１という）を示している。各図では、装置１としてデジタルオーディオテープレコーダ（ＤＡＴ）を例に挙げて示している。尚、図１は装置１の平面図及び正面図であり、図２は装置１の分解斜視図である。
【００２５】
装置１は、上記のようにロータリタイプのデジタルオーディオテープレコーダ（ＤＡＴ）であり、大略するとシャーシ２上にカセット装着脱機構３、リール駆動機構４、回転シリンダ５、テープローディング機構６、プロテクト機構８Ａ，８Ｂ、モード切り換え機構２０，及びクリーニング機構８５等を配設した構成とされている。
【００２６】
リール駆動機構４は、供給側リール９及び巻き取り側リール１０を回転駆動するための機構である。この各リール９，１０は、装置１のモード（例えば記録／再生モード、早送り／巻き戻しモード、早送りサーチ／巻き戻しサーチモード等）によりその回転速度，回転方向等が制御される構成となっている。
回転シリンダ５は、ドラムベース７に取りつけられている。この回転シリンダ５は、テープカセットから引き出された磁気テープ（図示せず）が所定角度にわたり巻付けられ、テープ走行に伴い磁気テープに対して磁気記録再生処理を行なう。
【００２７】
テープローディング機構６は、テープカセットから磁気テープを引き出し、上記の回転シリンダ５に所定角度にわたり巻き付けるための機構である。このテープローディング機構６は本実施例では所謂Ｍローディングを採用しており、モード切り換え機構２０に駆動されて一対のローディングベース１２，１３をドラムベース７に形成されたガイド溝１４，１５に沿って移動させ、これに伴い磁気テープをローディング或いはアンローディングする構成とされている。この一対のローディングベース１２，１３上には、磁気テープをローディングするためのローディングポスト１６，１７及び傾斜ポール１８，１９が立設されている。
【００２８】
モード切り換え機構２０は、図示しないモード切り換え用ギヤ，リンク，モード切り換えプレート等により構成されている。モード切り換え用ギヤはモード切り換えモータ２０により回転駆動される構成とされている。また、モード切り換えプレートには、装置１を構成する各機構（カセット装着脱機構３，テープローディング機構６等）が接続されており、モード切り換えモータ２０によりモード切り換えプレートが所定モード切り換え位置に移動することにより、装置１のモードが切り換えられる構成となっている。
【００２９】
また、ピンチローラアーム３９もモード切り換え機構２０により回動する構成とされている。モード切り換え機構２０によりピンチローラアーム３９が回動すると、ピンチローラアーム２３に配設されているピンチローラ２２は磁気テープをキャプスタンモータ１１の回転軸であるキャプスタン軸１１ａ（図８に詳しい）に圧接する。これにより、磁気テープはキャプスタンモータ１１の回転速度及び回転方向に応じてテープ走行速度及びテープ走行方向が制御される。
【００３０】
カセット装着脱機構３は、テープカセット（図示せず）を装置１内の所定記録再生処理位置に装着するためのものである。このカセット装着脱機構３は、大略するとテープカセットが挿入装着されるカセットホルダ２４，シャーシ２上を図中矢印Ｘ１，Ｘ２方向に移動可能とされたスライダーカム２７，及びスライダーカム２７を移動させる駆動アーム７０等により構成されている。
【００３１】
カセットホルダ２４は、一対の側面ガイド２５の下部に底板４５が配設されると共に上部に天板４６が配設された筐体形状とされており、その内部空間内にテープカセットが挿入装着される。また、天板４６の両側位置には、カセットホルダ２４に挿入装着されたテープカセットの上面を押圧するカセット押さえバネ４７が配設されている。このカセット押さえバネ４７によりテープカセットは底板４５に押圧され、これによりカセットホルダ２４内においてテープカセットにガタツキが発生することを防止している。
【００３２】
また、天板４６の中央位置には、カセット係止バネ４８が配設されている。このカセット係止バネ４８は、テープカセットの上面に形成されている係止溝部と係合することにより、テープカセットをカセットホルダ２４内に係止する機能を奏するものである。
また、各側面ガイド２５には、外側に向けそれぞれ延出したシャフト４９，５０が植設されている。このシャフト４９，５０は、後述するスライダーカム２７に形成された傾斜溝５８，５９に係合すると共に、シャーシ２の両側に立設された側壁２６に形成されたＬ字状長孔４３，４４に係合するよう構成されている。尚、シャフト５０とＬ字状長孔４４との間にはブッシュ６８が介装され、またこの各ブッシュ６８は、ネジ６７がシャフト５０に螺着することによりシャフト５０に回転自在に固定されている。
【００３３】
スライダーカム２７は、板状材をプレス成形することにより一体的に形成されており、上板５５と側板５６とを有した構成とされている。上板５５には後述するプロテクト機構８Ａ，８Ｂが配設されており、また側板５６には前記したカセットホルダ２４に設けられたシャフト４９，５０が挿通し係合する傾斜溝５８，５９（カム）が形成されている。また、上板５５の略中央位置には被係合口６０が穿設されると共に、この被係合口６０の近傍位置にはトーションバネ８０が取り付けられるバネ取付け用ピン６１が立設されている。
【００３４】
前記したカセットホルダ２４の移動軌跡は、スライダーカム２７に形成された傾斜溝５８，５９と、シャーシ２の側壁２６に形成されたＬ字状長孔４３，４４とにより決められている。よって、駆動アーム７０の回動によりスライダーカム２７が図中矢印Ｘ１方向に移動すると、カセットホルダ２４に設けられスライダーカム２７の傾斜溝５８，５９に係合しているシャフト４９，５０は、スライダーカム２７の移動に伴いＬ字状長孔４３，４４に案内されて移動する。
【００３５】
これにより、先ずカセットホルダ２４は図中矢印Ｘ１方向に水平移動しその後に下動し、カセットホルダ２４に装着されたテープカセットは、装置１内の所定記録再生位置まで搬送される。また、スライダーカム２７が図中矢印Ｘ２方向に移動することにより、カセットホルダ２４は上記と逆の動作を行い、所定記録再生位置から所定イジェクト位置（テープカセットをカセットホルダ２４に装着脱する位置）へ移動する。
【００３６】
駆動アーム７０は、図６に拡大して示すように、プッシュ部７２，アーム部７３，レバー部７４，及び係合部７７等により構成されている。ブッシュ部７２はその中央に軸孔７２ａを有した筒状形状を有しており、シャーシ２に立設されたシャフト７１に軸承される。これにより、駆動アーム７０はシャフト７１を中心として回動自在な構成となっている。
【００３７】
アーム部７３はプッシュ部７２の上部より水平方向に延出しており、その先端部に係合部７７が形成されている。また、レバー部７４はプッシュ部７２の上部より下方に延出すると共に、その先端部７４ａは折り曲げられてＬ字形状を有した構成とされている。そして、この先端部７４ａにピン７５が下方に向け突出するよう配設されている。
【００３８】
このピン７５は、図２に示すようにシャーシ２に形成された長孔８１を介してモード切り換え機構２０のモード切り換え用ギヤに接続されている。よって、モード切り換え機構２０が駆動することにより、駆動アーム７０はシャフト７１を中心として図１に矢印Ａ１，Ａ２で示す方向に回動する。
また、アーム部７３の先端部に形成された係合部７７は、被係合口６０に挿通されることによりスライダーカム２７と係合している。よって、駆動アーム７０が矢印Ａ１方向に回動することによりスライダーカム２７は図中矢印Ｘ２方向に移動し、駆動アーム７０が矢印Ａ２方向に回動することによりスライダーカム２７は図中矢印Ｘ１方向に移動する構成とされている。
【００３９】
また、スライダーカム２７が駆動アーム７０により駆動される際、被係合口６０と係合部７７との間でガタツキが発生することを防止するため、スライダーカム２７と係合部７７との間にはトーションバネ８０が配設されている。このトーションバネ８０の一端部８０ａは係合部７７に掛止され、他端部８０ｂはスライダーカム２７のバネ掛止部６９に掛止されている。そして、このトーションバネ８０の弾性力により係合部７７を被係合口の縁部に常に押圧付勢することにより、上記ガタツキの発生を防止している。
【００４０】
図７は、係合部７７を拡大して示す図である。同図に示すように、係合部７７は、スライダーカム２７に形成された被係合口６０の縁部に当接するポスト部７７ａと、その上部にトーションバネ８０の端部８０ａが当接する樹脂製のバネ受け部７８とを有した構成とされている。また、バネ受け部７８の下部にはポスト部７７ａと一体的に鍔部７７ｂが形成されており、更にバネ受け部７８の上部にはトーションバネ８０の端部８０ａが係合部７７から離脱するのを防止する離脱防止板７９が配設されている。
【００４１】
また、バネ受け部７８とトーションバネ８０の端部８０ａが当接する位置に注目すると、このバネ受け部７８の当接位置には湾曲凹部７８ａが形成されている。この湾曲凹部７８ａは、トーションバネ８０の断面形状に対応した形状を有するよう形成されている。
このように、バネ受け部７８にトーションバネ８０の断面形状に対応した湾曲凹部７８ａを形成することにより、トーションバネ８０とバネ受け部７８（湾曲凹部７８ａ）は面接触となり当接面積を広くすることができる。また、トーションバネ８０は湾曲凹部７８ａに係合することにより、その図中矢印Ｃ１，Ｃ２方向の移動が規制される。これにより、バネ受け部材７８とトーションバネ８０との間において摩耗粉が発生することを抑制することができ、他の機器に摩耗粉が付着することによる悪影響の発生を防止できるため、良好な磁気記録再生処理を確保することができる。
【００４２】
また、バネ受け部材７８は樹脂により形成されているため、トーションバネ８０の断面形状に対応した湾曲凹部７８ａを容易に成形することができる。更に、バネ受け部材７８の材料として滑り性の良好な樹脂材料を用いることにより、グリースを不要とすることができる。よって、グリースが他の機器に付着することを防止でき、これによっても良好な磁気記録再生処理を確保することができる。
【００４３】
次に、プロテクト機構８Ａ，８Ｂについて説明する。尚、プロテクト機構８Ａとプロテクト機構８Ｂは、図１及び図３（Ａ）に図示される状態において、上下略対称に配設されている。よって、各プロテクト機構８Ａ，８Ｂの対応する構成要素については、同一符号を付して説明するものとする。
プロテクト機構８Ａ，８Ｂは、テープカセットが装着されていない状態において、カセットホルダ２４がシャーシ２上で不要に変位することを防止する機能を奏するものである。よって、このプロテクト機構８Ａ，８Ｂにより、装置１内にテープカセット以外の異物が挿入されても、カセットホルダ２４は移動することはない。これにより、装置１内に異物が侵入することを防止でき、異物挿入による装置１の損傷を防止することができる。
【００４４】
このプロテクト機構８Ａ，８Ｂはスライダーカム２７の上板５５に配設されており、よってスライダーカム２７の移動に伴い図中矢印Ｘ１，Ｘ２方向に移動する構成とされている。このプロテクト機構８Ａ，８Ｂは、大略するとプロテクターカムアーム３０，プロテクターアーム３６，第１及び第２の係合凹部３５，４０等により構成されている。
【００４５】
プロテクターカムアーム３０は、図４に拡大して示すように、カセット係合アーム部３１，カム部３２，第１のロック片３３等を一体的に形成した構成とされている。このプロテクターカムアーム３０には軸孔４３ａが形成されており、この軸孔４３ａはスライダーカム２７に立設された支軸３４に軸承されている。よって、プロテクターカムアーム３０は、支軸３４に回転可能に軸承されている。
【００４６】
また、プロテクターカムアーム３０はカム部３２を有しており、その形成位置はカセット係合アーム部３１の形成位置に対し軸孔４３ａを中心として反対側の端部に選定されている。このカム部３２は略台形状を有した凹部であり、このカム部３２内に後述するプロテクターアーム３６の従動部３７が係合する構成とされている。この係合の際、従動部３７はカム部３２内において変位可能となるよう構成されている。
【００４７】
第１のロック片３３は、シャーシ２に立設された側壁２６に向け突出するよう形成されている。この第１のロック片３３は、未装着状態において側壁２６に形成された第１の係合凹部３５と係合するよう構成されている（図１参照）。
一方、プロテクターアーム３６は、図５に拡大して示すように、大略すると従動部３７及び第２のロック片３８を一体的に形成した構成とされている。プロテクターアーム３６には軸孔３９ａが形成されており、この軸孔３９ａがスライダーカム２７に立設された支軸３９に軸承されている。よって、プロテクターアーム３６は、支軸３９に回転可能に軸承されている。
【００４８】
従動部３７は、前記のようにプロテクターカムアーム３０に形成されたカム部３２に係合するよう突出形成されている。また、第２のロック片３８は、シャーシ２に立設された側壁２６に向け突出するよう形成されている。この第１のロック片３３は、未装着状態において側壁２６に形成された第２の係合凹部４０と係合するよう構成されている。
【００４９】
また、プロテクターアーム３６はバネ掛止部３６ａを有しており、このバネ掛止部３６ａとスライダーカム２７との間にはコイルバネ５７が張架されている。このコイルバネ５７は、プロテクターアーム３６を図３（Ａ）に矢印Ｂ１で示す方向に回動付勢する弾性力を発生させる。
よって、このプロテクターアーム３６は、カム部３２がカム部３２と係合していることによりプロテクターカムアーム３０に伝達され、プロテクターカムアーム３０はコイルバネ５７の弾性力により図３（Ａ）に矢印Ｄ１で示す方向に回動付勢される。しかるに、各アーム３０，３６は、前記したように第１及び第２のロック片３３，３８がシャーシ２の側壁２６と係合することにより、それ以上の回動が規制される構成となっている。
【００５０】
続いて、上記構成とされたプロテクト機構８Ａ，８Ｂの動作について説明する。図１において、右側に位置する未装着状態のプロテクト機構８Ａにおいてテープカセットがカセットホルダ２４に正規の状態で挿入される（矢印Ｘ１方向に挿入される）と、この挿入動作に伴いテープカセットの先端部はカセット係合アーム部３１に係合しこれを押圧する。よって、プロテクターカムアーム３０はコイルバネ５７の弾性力に抗して支軸３４を中心として回動し、これにより第１のロック片３３も回動し、第１の係合凹部３５と第１のロック片３３との係合は解除される。
【００５１】
また、上記のようにプロテクターカムアーム３０が回動することにより、カム部３２も回動し、よってカム部３２と係合している従動部３７を介しプロテクターアーム３６も支軸３９を中心として回動付勢される。このように、プロテクターアーム３６が回動すると、これに伴い第２のロック片３８も回動し、よって第２の係合凹部４０と第２のロック片３８との係合は解除される。これにより、スライダーカム２７はシャーシ２に対し移動可能な状態となる。
【００５２】
これに対し、テープカセットがカセットホルダ２４に異常な状態で挿入された場合（例えば、傾いて挿入され他場合等）は、プロテクターカムアーム３０は正常に回動せず、よって第１及び第２のロック片３３，３８は第１及び第２の係合凹部３５，４０と係合した状態を維持する。従って、スライダーカム２７は、シャーシ２にロックされた状態を維持する。
【００５３】
このように、プロテクト機構８Ａ，８Ｂを設けることにより、テープカセットが正規の状態で挿入された時以外は、スライダーカム２７（即ち、カセットホルダ２４）のシャーシ２に対する移動が規制され、よって異物の装置１内への侵入を防止することができる。
また、本実施例では、プロテクターアーム３６の回動を所定位置で規制する回動規制片６２を設けている（図２及び図３（Ａ）に詳しい）。この回動規制片６２は、コイルバネ５７の弾性力により回動付勢されるプロテクターアーム３６の回動範囲（この範囲は、コイルバネ５７に永久変形が生じない範囲でもある）内で、かつ、プロテクターカムアーム３０とプロテクターアーム３６との係合が解除される係合解除位置に至る前の所定回動位置に設けられている。
【００５４】
この構成とすることにより、プロテクターアーム３６がプロテクターカムアーム３０との係合を解除する方向に回動しても、各アーム３０，３６の係合が解除させる前に、プロテクターアーム３６は回動規制片６２と係合してその回動が規制される。よって、回動規制片６２を設けることにより、各アーム３０，３６の係合が解除されることを確実に防止することができる。尚、回動規制片６２はスライダーカム２７に一体的に形成された切り起こし部により構成されているため、回動規制片６２を別部品としてスライダーカム２７に配設する構成に比べ、部品点数の削減及び組立工数の低減を図ることができ、よって装置１のコスト低減を図ることができる。
【００５５】
続いて、主に図３及び図８乃至図１１を用いてクリーニング機構８５について説明する。
クリーニング機構８５は、大略するとクリーニングアーム８６，クリーニング用カム部材８７，駆動ピン８１，及び係合片８２等により構成されている。クリーニングアーム８６は、キャプスタンモータ１１に設けられた支軸８３に回動可能に取り付けられており、よって図１０及び図１１に矢印Ｅ１，Ｅ２で示す方向に回動可能な構成とされている。
【００５６】
このクリーニングアーム８６の図中矢印Ｘ２方向端部には、ブレード状のクリーニング部９０が形成されている。このクリーニング部９０がキャプスタンモータ１１のキャプスタン軸１１ａ（図１０及び図１１では一点鎖線で示す）に当接することにより、キャプスタン軸１１ａに付着した汚れを除去する構成とされている。
【００５７】
また、クリーニングアーム８６の図中矢印Ｘ１方向端部にはバネ掛止孔９１が設けられており、このバネ掛止孔９１には一端部がシャーシ２に接続されたコイルスプリング８８（図８参照）の他端部が接続される。このコイルスプリング８８の弾性力により、クリーニングアーム８６は常時図中矢印Ｅ１方向に回動付勢されている。
【００５８】
一方、クリーニング用カム部材８７は図９に示されるように略円柱状の形状を有している。このクリーニング用カム部材８７はシャーシ２に設けられた支軸８４に回動可能に取り付けられており、よって図１０及び図１１に矢印Ｆ１，Ｆ２で示す方向に回動可能な構成とされている。
また、クリーニング用カム部材８７は、スライダーカム２７に設けられている駆動ピン８１と当接する一対のピン係合壁部９３Ａ，９３Ｂが形成されると共に、平面視した状態で略半円形状を有した鍔部９５が形成されている。前記したクリーニングアーム８６は、この鍔部９５の下部において、クリーニング用カム部材８７に形成されたカム部９４と係合するよう構成されている。
【００５９】
また、鍔部９５の上部には他の構成物は形成されておらず、この部位は係合片通過部９７を構成している。この係合片通過部９７は、クリーニング用カム部材８７が適正装着されている場合、スライダーカム２７の移動に伴い係合片８２が中矢印Ｘ１方向に移動してきた際、この係合片８２を通過させ得るよう構成されている。
【００６０】
更に、クリーニング用カム部材８７の所定位置には、外周部分より内側に向け屈曲された形状を有した位置修正用壁部９６が形成されている。この位置修正用壁部９６は、後述するように、クリーニング用カム部材８７が誤装着された場合に係合片８２が当接することにより、クリーニング用カム部材８７を適正位置に回動させる機能を奏するものである。
【００６１】
係合片８２は、図３（Ｃ）に示されるように、スライダーカム２７の一部を折曲することにより形成されている。即ち、係合片８２は、スライダーカム２７に一体的に形成された折曲片により構成されるため、係合片８２を容易にかつ低コストに形成することができる。
また、係合片８２の配設位置は、スライダーカム２７上の駆動ピン８１の配設位置よりもクリーニング用カム部材３７に近い位置に、即ち駆動ピン８１の配設位置に対し図中矢印Ｘ１方向に所定量離間した位置に形成されている。更に、係合片８２の配設位置は、クリーニング用カム部材８７が適正装着された状態において、クリーニング用カム部材８７に形成された係合片通過部９７と対向するよう構成されている。
【００６２】
続いて、上記構成とされたクリーニング機構８５の動作について、主に図１０及び図１１を用いて説明する。説明の便宜上、先ずクリーニング用カム部材８７が適正に装着されている時におけるクリーニング機構８５の動作について説明する。
図１０は、磁気ディスク装置のイジェクト状態（テープカセットがカセットホルダに対し装着脱される位置にある状態）を示している。このイジェクト状態では磁気記録再生処理が行われないため、キャプスタン軸１１ａに磁気テープ及びピンチローラ２２は当接していない。よって本実施例では、このイジェクト時を利用し、クリーニング機構８５を用いてキャプスタン軸１１ａのクリーニング処理を行う構成としている。
【００６３】
イジェクト時には、駆動ピン８１及び係合片８２は図中矢印Ｘ２方向限まで移動しており、この状態においてクリーニングアーム８６は、クリーニング用カム部材８７に設けられたカム部９４の窪んだ部位９４Ａ（回転中心に対して小径である部位）と係合している。このため、前記したコイルスプリング８８の弾性力によりクリーニングアーム８６は図中矢印Ｅ１方向に変位し、よってクリーニング部９０はキャプスタン軸１１ａと当接し、これによりクリーニング部９０はキャプスタン軸１１ａのクリーニング処理を行う。
【００６４】
尚、クリーニング部９０がキャプスタン軸１１ａと当接する際、図示しない装置１の制御装置は、キャプスタンモータ１１を所定時間だけ回転させるため、キャプスタン軸１１ａの全周にわたりクリーニング処理が行われる構成となっている。
一方、カセットローディングが開始されると、スライダーカム２７は図中矢印Ｘ１方向に移動を開始し、これに伴い駆動ピン８１及び係合片８２も図中矢印Ｘ１方向に移動する。クリーニング用カム部材８７が適正に装着された状態において、クリーニング用カム部材８７に形成されているピン係合壁部９３Ａは駆動ピン８１の移動軌跡上に位置するよう構成されており、また係合片通過部９７は係合片８２の移動軌跡上に位置するよう構成されている。
【００６５】
よって、駆動ピン８１はその移動に伴いピン係合壁部９３Ａと係合しこれを押圧し、これによりクリーニング用カム部材８７は図中矢印Ｆ１方向に回動付勢される。このようにクリーニング用カム部材８７が矢印Ｆ１方向に回動すると、カム部９４の突出した部位９４Ｂ（回転中心に対して大径である部位）がクリーニングアーム８６と係合することとなり、よってクリーニングアーム８６はコイルスプリング８８の弾性力に抗して図中矢印Ｅ２方向に回動付勢される。これにより、クリーニング部９０はキャプスタン軸１１ａから離間し、キャプスタン軸１１ａに対するクリーニング処理が終了する。
【００６６】
また、係合片８２はその移動に伴い係合片通過部９７を通過する。よって、クリーニング用カム部材８７が適正に装着されている時は、係合片８２はクリーニング用カム部材８７に何ら作用しない構成となっている。尚、磁気テープに対する磁気記録再生処理時においては、クリーニング部９０はキャプスタン軸１１ａから離間しているため、クリーニングアーム８６が磁気テープの走行の邪魔になるようなことはない。
【００６７】
次に、クリーニング用カム部材８７が不適正に装着された時におけるクリーニング機構８５の動作について説明する。
前記したように、クリーニング機構８５を構成するクリーニング用カム部材８７は、シャーシ２に設けられた支軸８４に配設される際、ピン係合壁部９３Ａ，９３Ｂが駆動ピン８１の移動軌跡上に位置するよう位置決めして配設する必要がある。しかしながら、クリーニング用カム部材８７は略円筒状の部材であり、またその形状も小さいため、誤って適正位置（図１０に示す状態が適正位置）からずれた位置で配設してしまうことが発生することは前述した通りである。
【００６８】
以下の説明では、図１１に示すように、クリーニング用カム部材８７が適正位置（図１０に示す位置）から図中矢印Ｆ１方向に所定角度だけずれて配設された（誤装着された）場合を例に挙げ、このご装着時におけるクリーニング機構８５の動作について説明するものとする。
図１１に示す誤装着状態では、クリーニング用カム部材８７に形成されているピン係合壁部９３Ｂの背面部分が駆動ピン８１の移動軌跡上に位置しており、また位置修正用壁部９６が係合片８２の移動軌跡上に位置した状態となっている。
【００６９】
位置修正用壁部９６は、その長さＧ（図１１に矢印で示す）が長く設けられている。また、クリーニング用カム部材８７の下部に突出形成された時９８（図９（Ｂ）参照）はシャーシ２に形成された三日月状の長孔９９（図８参照）に係合しており、よってクリーニング用カム部材８７の回動範囲はこの長孔９９の範囲に限定されている。よって、クリーニング用カム部材８７が支軸８４に誤装着された場合、位置修正用壁部９６は係合片８２の移動軌跡上に必ず位置する構成とされている。
【００７０】
上記の誤装着状態においてカセットローディングが開始されると、スライダーカム２７は図中矢印Ｘ１方向に移動を開始し、これに伴い駆動ピン８１及び係合片８２も図中矢印Ｘ１方向に移動する。
図１１の誤装着状態では、ピン係合壁部９３Ｂの背面部分が駆動ピン８１の移動軌跡上に位置しているため、従来のような係合片８２が設けられていない構成では、駆動ピン８１の矢印Ｘ１方向の移動によりクリーニング用カム部材８７は一旦図中矢印Ｆ１方向に回動するが、その後に再びイジェクト動作が行われ駆動ピン８１が矢印Ｘ２方向に移動した場合、駆動ピン８１は直ちにピン係合壁部１９３Ｂの背面側から離間しロックされた状態となってしまうことは前述した通りである。
【００７１】
しかるに本実施例では、前記のように係合片８２は駆動ピン８１の配設位置よりもクリーニング用カム部材３７に近い位置に形成されている。よって、本実施例の構成では、駆動ピン８１がピン係合壁部９３Ｂの背面部分と当接する前に、先に係合片８２が位置修正用壁部９６と当接しこれを矢印Ｘ１方向に押圧する。
このように係合片８２が位置修正用壁部９６を押圧すると、クリーニング用カム部材８７は図中矢印Ｆ２方向に回動する。この回動方向は、クリーニング用カム部材８７が適正装着位置に向かう方向である。そして、図中矢印Ｘ１方向の移動に伴い係合片８２が位置修正用壁部９６を押し切り、係合片８２が位置修正用壁部９６から離間した状態において、クリーニング用カム部材８７は適正装着位置まで回動する。そして、上記のようにクリーニング用カム部材８７が適正装着位置まで回動した状態において、はじめて駆動ピン８１がピン係合壁部９３Ａと当接する。従って、駆動ピン８１がピン係合壁部９３Ａと当接した以降の処理は、先に適正装着時の動作として説明したと同様の動作となる。
【００７２】
上記したように本実施例によれば、クリーニング用カム部材８７が適正位置からずれた位置で配設されても、スライダーカム２７の移動に伴い、駆動ピン８１の配設位置よりもクリーニング用カム部材８７に近い位置に配設された係合片８２がクリーニング用カム部材８７（位置修正用壁部９６）に先に係合し、クリーニング用カム部材８７を適正位置に回動させる。
【００７３】
これにより、駆動ピン８１がクリーニング用カム部材８７に係合する際には、常にクリーニング用カム部材８７は自動的に適正装着位置となっており、よってスライダーカム２７の移動が不能となったり、またキャプスタン軸１１ａのクリーニングが不能となることを確実に防止することができる。
【００７４】
【発明の効果】
上述の如く本発明によれば、次に述べる種々の効果を実現することができる。
請求項１記載の発明によれば、駆動ピンがカム部材に係合する際には、常にカム部材は適正な位置となっており、よってスライダーカムの移動が不能となったり、またキャプスタン軸のクリーニングが不能となることを防止することができる。
【００７５】
また、請求項２記載の発明によれば、係合部をスライダーカムに一体的に形成された切り起こし部により構成することにより、係合部を容易にかつ低コストに形成することができる。
また、請求項３記載の発明によれば、スライダーカムに係合部を設けても、係合部によりカム部材のクリーニング時における動作が妨げられるようなことはなく、確実なクリーニング処理を行うことができる。
【図面の簡単な説明】
【図１】本発明の一実施例である磁気記録再生装置を示しており、（Ａ）はその平面図、（Ｂ）はその正面図である。
【図２】本発明の一実施例である磁気記録再生装置の分解斜視図である。
【図３】本発明の一実施例である磁気記録再生装置に設けられるスライダーカムを示しており、（Ａ）はその平面図、（Ｂ）はその正面図、（Ｃ）はその左側面図である。
【図４】本発明の一実施例である磁気記録再生装置に設けられるプロテクターカムアームの平面図である。
【図５】本発明の一実施例である磁気記録再生装置に設けられるプロテクターアームの平面図である。
【図６】本発明の一実施例である磁気記録再生装置に設けられる駆動アームを示しており、（Ａ）はその平面図、（Ｂ）はその正面図である。
【図７】駆動アームの係合ピンを拡大して示す図である。
【図８】本発明の一実施例である磁気記録再生装置に設けられるクリーニング機構の配設位置を説明するための分解斜視図である。
【図９】クリーニング機構の一部を構成するクリーニング用カム部材を拡大して示す斜視図であり、（Ａ）は上面視した図であり、（Ｂ）は底面視した図である。
【図１０】クリーニング用カム部材が適正位置にある状態を示す図である。
【図１１】クリーニング用カム部材が自動的に適正位置に戻る機構を説明するための図である。
【図１２】従来の一例である磁気記録再生装置に搭載されているクリーニング装置の構成及び動作を説明するための図である（その１）。
【図１３】従来の一例である磁気記録再生装置に搭載されているクリーニング装置の構成及び動作を説明するための図である（その２）。
【符号の説明】
２  シャーシ
３  カセット装着脱機構
４  リール駆動機構
５  回転シリンダ
６  テープローディング機構
８Ａ，８Ｂ  プロテクト機構
１１  キャプスタンモータ
２０  モード切り換え機構
２１  モード切り換えギヤ
２４  カセットホルダ
２７  スライダーカム
３０  プロテクターカムアーム
３１  カセット係合アーム部
３２  カム部
３３  第１のロック片
３５  第１の係合凹部
３６  プロテクターアーム
３７  従動部
３８  第２のロック片
４０  第２の係合凹部
４７  カセット押さえバネ
５７  コイルバネ
６０  被係合口
６１  バネ取付け用ピン
６２  回動規制片
７０  駆動アーム
７１  シャフト
７２  ブッシュ部
７３  アーム部
７４  レバー部
７５  ピン
７７  係合部
７８  バネ受け部材
７８ａ  湾曲凹部
８０  トーションバネ
８１  駆動ピン
８２  係合片
８５  クリーニング機構
８６  クリーニングアーム
８７  クリーニング用カム部材
８８  コイルスプリング
９０  クリーニング部
９３Ａ，９３Ｂ  ピン係合壁部
９４  カム部
９６  位置修正用壁部
【図１】
0004106824.tif 000002
【図２】
0004106824.tif 000003
【図３】
0004106824.tif 000004
【図４】
0004106824.tif 000005
【図５】
0004106824.tif 000006
【図６】
0004106824.tif 000007
【図７】
0004106824.tif 000008
【図８】
0004106824.tif 000009
【図９】
0004106824.tif 000010
【図１０】
0004106824.tif 000011
【図１１】
0004106824.tif 000012
【図１２】
0004106824.tif 000013
【図１３】
0004106824.tif 000014